(57)【要約】【課題】被洗浄車両を洗浄する際に使用する洗浄水の無駄を抑制するとともに、洗浄力を向上できる洗車機を提供する。【解決手段】給水部３５から供給される洗浄水を増圧して流通させる高圧ポンプ３３と、高圧ポンプ３３の下流に配される電磁弁３２と、電磁弁３２の下流に配されるとともに被洗浄車両ＣＡに対して前後に相対移動する噴射ノズル３１と、を有する洗車機ＷＡにおいて、高圧ポンプ３３が駆動してから所定時間経過後に電磁弁３２を開放して噴射ノズル３１から被洗浄車両ＣＡに洗浄水を噴射する。【選択図】図２
2014024460.tif 000002
【特許請求の範囲】
【請求項１】
給水部から供給される洗浄水を増圧して流通させる高圧ポンプと、
前記高圧ポンプの下流に配される電磁弁と、
前記電磁弁の下流に配されるとともに被洗浄車両に対して前後に相対移動する噴射ノズルと、
を有する洗車機において、
前記高圧ポンプが駆動してから所定時間経過後に前記電磁弁を開放して前記噴射ノズルから被洗浄車両に洗浄水を噴射することを特徴とする洗車機。
【請求項２】
ユーザの入力を受け付ける操作部と、
被洗浄車両を検知する検知センサと、を備え、
前記操作部から洗車の開始が指示されると前記高圧ポンプの駆動が開始され、
被洗浄車両の前端に前記噴射ノズルが配されたことを前記検知センサにより検知すると、前記噴射ノズルから洗浄水の噴射を開始することを特徴とする請求項１に記載の洗車機。
【請求項３】
前記噴射ノズルにより被洗浄車両の下面を洗浄することを特徴とする請求項１又は２に記載の洗車機。
【請求項４】
被洗浄車両を跨いで前後方向に移動して洗浄する本体部と、
前記本体部に配して前記給水部から供給される洗浄水を被洗浄車両の側面及び上面に噴射する本体ノズルと、を備え、
前記噴射ノズルから噴射される洗浄水の圧力が前記本体ノズルから噴射される洗浄水の圧力よりも大きいことを特徴とする請求項３に記載の洗車機。
【発明の詳細な説明】
【技術分野】
【０００１】
本発明は洗浄水を噴射する噴射ノズルを備えた洗車機に関する。
【背景技術】
【０００２】
給油所等に設置される従来の洗車機は特許文献１に開示される。この洗車機は本体部及び給水部を有する。
【０００３】
本体部は左右の対向する２つのスタンド部とスタンド部の上端を連結する天井部とを有して門型に形成される。スタンド部には噴射ノズル及び乾燥ノズルが設けられる。噴射ノズルからは洗浄水が噴射され、乾燥ノズルからは空気が送出される。
【０００４】
給水部は貯水タンクにより形成され所定の量の洗浄水を貯水する。給水部の下流には高圧ポンプ、電磁弁及び噴射ノズルが順に設けられる。高圧ポンプは給水部から供給される洗浄水を増圧して流通させる。電磁弁は弁を開閉させて洗浄水の流通を制御する。
【０００５】
上記構成の洗車機において洗浄が開始されると、本体部が被洗浄車両に対して前後方向に移動し、電磁弁を開いて高圧ポンプが駆動される。これにより、噴射ノズルから高圧の洗浄水が噴射され、被洗浄車両が洗浄される。また、噴射ノズルの後方に配した乾燥ノズルから空気を送出して被洗浄車両の乾燥が行われる。洗車が終了すると高圧ポンプを停止して電磁弁が閉じられる。
【０００６】
また、特許文献２に開示されるように被洗浄車両の下方を前後に移動する下面洗浄部を備えた洗車機も知られている。下面洗浄部に配した噴射ノズルから噴射される洗浄水によって被洗浄車両の下面の洗浄を行うことができる。
【０００７】
また、特許文献３に開示されるように高圧ポンプ、電磁弁及び洗浄ノズルを有する洗浄装置も知られている。
【先行技術文献】
【特許文献】
【０００８】
【特許文献１】特開２０１０−１２５９５０号公報
【特許文献２】特開平１１−１３９２６６号公報
【特許文献３】特開平１１−２８５６７２号公報
【発明の概要】
【発明が解決しようとする課題】
【０００９】
しかしながら、上記従来の洗車機によると、高圧ポンプの駆動開始時は噴射ノズルから噴射される洗浄水の圧力が低いため、被洗浄車両の先頭部分で洗浄力が低下する問題があった。
【００１０】
特に、下面洗浄部から高圧水を噴射し、被洗浄車両の下面を洗浄する場合には、高圧ポンプの駆動開始時は噴射される洗浄水の圧力が低いため、噴射ノズルから噴射される洗浄水が被洗浄車両に到達せずに落下する。このため、洗浄水が無駄になる問題もあった。
【００１１】
本発明は、洗浄水の無駄を抑制するとともに洗浄力を向上できる洗車機を提供することを目的とする。
【課題を解決するための手段】
【００１２】
上記目的を達成するために本発明は、給水部から供給される洗浄水を増圧して流通させる高圧ポンプと、前記高圧ポンプの下流に配される電磁弁と、前記電磁弁の下流に配されるとともに被洗浄車両に対して前後に相対移動する噴射ノズルと、を有する洗車機において、前記高圧ポンプが駆動してから所定時間経過後に前記電磁弁を開放して前記噴射ノズルから被洗浄車両に洗浄水を噴射することを特徴とする。
【００１３】
この構成によると、洗車機により洗浄が開始されると、高圧ポンプが駆動してから所定時間経過後に電磁弁を開放する。これにより噴射開始時に既に増圧された洗浄水を被洗浄車両に対して噴射する。
【００１４】
また、本発明は上記構成の洗車機において、ユーザの入力を受け付ける操作部と、
被洗浄車両を検知する検知センサと、を備え、前記操作部から洗車の開始が指示されると前記高圧ポンプの駆動が開始され、被洗浄車両の前端に前記噴射ノズルが配されたことを前記検知センサにより検知すると、前記噴射ノズルから洗浄水の噴射を開始することを特徴とする。
【００１５】
また、本発明は上記構成の洗車機において、前記噴射ノズルにより被洗浄車両の下面を洗浄することを特徴とする。
【００１６】
また、本発明は上記構成の洗車機において、被洗浄車両を跨いで前後方向に移動して洗浄する本体部と、前記本体部に配して前記給水部から供給される洗浄水を被洗浄車両の側面及び上面に噴射する本体ノズルと、を備え、前記噴射ノズルから噴射される洗浄水の圧力が前記本体ノズルから噴射される洗浄水の圧力よりも大きいことを特徴とする。
【発明の効果】
【００１７】
本発明によると、高圧ポンプが駆動してから所定時間経過後に電磁弁を開放して噴射ノズルから被洗浄車両に洗浄水を噴射したので、噴射開始時に既に増圧された洗浄水を被洗浄車両に対して噴射する。これにより、洗浄水の無駄を抑制するとともに洗浄力を向上できる洗車機を提供できる。
【図面の簡単な説明】
【００１８】
【図１】本発明の実施形態の洗車機の全体構成を示す側面図
【図２】本発明の実施形態の洗車機の構成を示す正面図
【図３】本発明の実施形態の洗車機の全体構成を示す平面図
【図４】本発明の実施形態の洗車機の給水ポンプから噴射部への接続図
【図５】本発明の実施形態の洗車機の給水ポンプから噴射部への接続図
【発明を実施するための形態】
【００１９】
以下に本発明の実施形態を図面を参照して説明する。図１、図２及び図３は本発明の一実施形態の洗車機の全体構成を示す側面図、本体部及び平面図の構成を示す。洗車機ＷＡは本体部１、レール２、リモートパネル（操作部）７Ａ、検知センサ４０、貯水タンク３５（図５参照）及び下面洗浄部３０を備えている。本体部２は左右の対向する２つのスタンド部９０と、スタンド部９０の上端を連結する天井部９１とを有して門型に形成される。
【００２０】
レール２は地面Ｇに左右一対に設けられ、本体部１の底面に設けた車輪３がレール２上に配される。これにより、本体部１は走行モータ（不図示）の駆動によりレール２上を走行して被洗浄車両ＣＡに対して前後に相対移動するように立設される。
【００２１】
リモートパネル７Ａは本体部１の進入経路上に配される。被洗浄車両ＣＡはリモートパネル７Ａの面前で停車し、ユーザは被洗浄車両ＣＡ内からリモートパネル７Ａの操作によって洗車の受け付け等の操作を行う。
【００２２】
本体部１の前方には検知センサ４０が左右一対に立設される。検知センサ４０は光電センサや超音波センサ等により形成され、被洗浄車両ＣＡの前端及び後端を検知する。本体部１の後方には貯水タンク３５が配される。貯水タンク３５は水道管と接続され、所定の量の洗浄水を貯水する。
【００２３】
両スタンド部９０及び天井部９１の下部には検知センサ８、９が設けられる。検知センサ８、９は光電センサや超音波センサ等により形成され、本体部１の走行によって被洗浄車両ＣＡの外面形状を検知する。
【００２４】
本体部１の一方のスタンド部９０の前面には操作パネル７が配される。操作パネル７はリモートパネル７Ａと同様の操作ボタンを備え、被洗浄車両ＣＡから降車したユーザ等の操作により洗車の受け付けや洗車モードの設定を行う。
【００２５】
操作パネル７及びリモートパネル７Ａに設けたボタンにより、シャンプー、ワックス掛け、撥水コート等に使用する液剤６２を水洗いに追加して洗車モードを設定することができる。また、高級なシャンプー、高級なワックス、高級な撥水コート、特殊なコート等を行うボタンも操作パネル７及びリモートパネル７Ａに設けられる。更に、フロントガード有り、フェンダーポール有り、サイドミラー有り、リヤワイパー有り、ルーフキャリア有り、該当装備品無し等の装備品設定ボタンが設けられている。
【００２６】
本体部１には被洗浄車両ＣＡ上に摺動してブラッシングする複数の回転ブラシが設けられる。回転ブラシは軸部（不図示）にブラシ毛（不図示）を放射状に固着して形成される。モータ（不図示）によって回転ブラシが移動し、回転負荷に応じて被洗浄車両ＣＡに対して接離する。回転ブラシはサイドブラシ５、トップブラシ４及びロッカーブラシ６から成っている。トップブラシ４、サイドブラシ５及びロッカーブラシ６は被洗浄車両ＣＡの上面、側面、側面下部及び車輪を洗浄する。
【００２７】
また、本体部１には気流を発生させて被洗浄車両ＣＡを乾燥させるブロア（乾燥部）２０が設けられる。ブロア２０にはトップ送風ノズル２１及びサイド送風ノズル２２が接続される。トップ送風ノズル２１は本体部１の中央上部に設けられ、被洗浄車両ＣＡに沿って昇降して被洗浄車両ＣＡの上面に向けて送風する。
【００２８】
サイド送風ノズル２２は左右のスタンド部９０に夫々に設けられ、被洗浄車両ＣＡの側面に向けて送風する。トップ送風ノズル２１及びサイド送風ノズル２２の送風によって洗浄後の被洗浄車両ＣＡを乾燥させる。
【００２９】
スタンド部９０にはシャンプー、ワックス掛け、撥水コート等に使用する液剤を貯液した複数の貯液タンク（不図示）を収納するタンク収納部５０が配される。タンク収納部５０の近傍には貯液タンクに接続される分配配管部５１が設けられ、分配配管部５１を介して液剤が本体部１の各ノズルに供給される。
【００３０】
本体部１には第１、第２浄水ノズル１１、１３、第１、第２洗剤ノズル１２、１５、撥水コートノズル１４、ワックスノズル１６が設けられる。第１、第２浄水ノズル１１、１３は本体部１の手前側及び奥側にそれぞれ配され、被洗浄車両ＣＡに対して洗浄水を側面及び上面から噴射する。第１、第２洗剤ノズル１２、１５は本体部１の手前側及び奥側にそれぞれ配され、被洗浄車両ＣＡに対して洗剤を噴射する。
【００３１】
撥水コートノズル１４は本体部１の奥側に配され、被洗浄車両ＣＡに対して撥水コート剤を噴射する。ワックスノズル１６は本体部１の奥側に配され、被洗浄車両ＣＡに対してワックスを噴射する。
【００３２】
下面洗浄部３０は本体部１と検知センサ４０との間に埋設される。下面洗浄部３０は複数の噴射ノズル３１を備えている。噴射ノズル３１は噴射口を上方に向けて配される。図４、図５は貯水タンク３５（給水部）と下面洗浄部３０との接続を示した図である。
【００３３】
貯水タンク３５内には水ポンプ３６が配される。水ポンプ３６は貯水タンク３５内の洗浄水を吸い上げて下流に洗浄水を流出させる。水ポンプ３６の下流には分岐部３４が配される。分岐部３４の一方の下流には下面洗浄部３０が接続され、他方の下流には分配配管部５１が接続される。
【００３４】
分岐部３４と下面洗浄部３０との間には高圧ポンプ３３及び電磁弁３２が配される。高圧ポンプ３３は配管３７内の洗浄水を６倍以上に増圧させて下流に流出する。高圧ポンプ３３と下面洗浄部３０との間は距離Ｄ（１８ｍ程度）だけ離れて設けられ、その間に本体部１が配されて本体部１は前後方向に移動する。電磁弁３２は電磁石（ソレノイド）の磁力を用いて鉄片を動かすことで弁を所定のタイミングで開閉する。
【００３５】
上記構成の洗車機ＷＡにおいて、ユーザは本体部１と離れた所定の位置で被洗浄車両ＣＡを停止する。そして、被洗浄車両ＣＡ内から手を伸ばしてリモート操作パネル７Ａにより所望の洗車設定を行う。
【００３６】
洗車設定が完了して洗車の開始が指示されると、高圧ポンプ３３が駆動する。ユーザは被洗浄車両ＣＡを運転して本体部１の方へ移動する。検知センサ４０は被洗浄車両ＣＡの前端に噴射ノズル３１が配されたことを検知すると、洗車機ＷＡは電磁弁３２を開放して噴射ノズル３１から洗浄水の噴射を開始する。
【００３７】
この時、高圧ポンプ３３の駆動は洗車の開始の指示から所定時間経過しているため、噴射開始時には既に増圧された洗浄水が噴射ノズル３１から噴射される。そして、被洗浄車両ＣＡが本体部１の方へ進行して、噴射ノズル３１により被洗浄車両ＣＡの下面が洗浄される。
【００３８】
その後、検知センサ４０は被洗浄車両ＣＡの後端に噴射ノズル３１が配されたことを検知すると、洗車機ＷＡは電磁弁３２を閉じて洗浄水の噴射及び高圧ポンプ３３の駆動を停止する。これにより、洗浄水の無駄を抑制するとともに被洗浄車両ＣＡの下面の洗浄力を向上できる。また、高圧ポンプ３３の駆動を停止するため、配管３７内への高負荷状態を解消する。
【００３９】
さらにユーザは被洗浄車両ＣＡを運転して本体部１の方へ移動して所定の停車位置に被洗浄車両ＣＡが配されると本体部１が被洗浄車両ＣＡに向かって移動し、本体部１による洗車が開始される。被洗浄車両ＣＡの上面はトップブラシ４により洗浄され、側面はサイドブラシ５及びロッカーブラシ６によって洗浄される。
【００４０】
回転ブラシによる洗浄が終了すると、トップ送風ノズル２１及びサイド送風ノズル２２から被洗浄車両ＣＡに対して空気を供給して被洗浄車両ＣＡを乾燥させて洗車を終了する。
【００４１】
本実施形態によると、高圧ポンプ３３が駆動してから所定時間経過後に電磁弁３２を開放して噴射ノズル３１から被洗浄車両ＣＡに洗浄水を噴射したので、噴射開始時において既に増圧された洗浄水を被洗浄車両ＣＡに対して噴射する。これにより、洗浄水の無駄を抑制するとともに洗浄力を向上できる洗車機ＷＡを提供できる。
【００４２】
また、被洗浄車両ＣＡの前端に噴射ノズル３１が配されたことを検知センサ４０により検知すると、噴射ノズル３１から洗浄水の噴射を開始するため、洗浄水の無駄を抑制するとともに洗浄力を向上できる洗車機ＷＡを容易に実現できる。
【００４３】
また、噴射ノズル３１により被洗浄車両ＣＡの下面を洗浄するため、被洗浄車両ＣＡの下面の洗浄力を向上できる。
【００４４】
また、第１、第２浄水ノズル１１、１３は分配配管部５１を介して水ポンプ３６接続しているが、それに対して噴射ノズル３１は水ポンプ３６、高圧ポンプ３３、噴射ノズル３１の順で配管されているため、噴射ノズル３１は水ポンプ３６で汲み上げた後に高圧ポンプ３３で圧縮して噴射することになる。したがって、噴射ノズル３１から噴射される洗浄水の圧力が第１、第２浄水ノズル１１、１３から噴射される洗浄水の圧力よりも大きくなり、被洗浄車両ＣＡの下面の洗浄力を向上できるとともに、洗浄中の被洗浄車両ＣＡ内への騒音を低減することができる。
【００４５】
また、従来の構成では、噴射ノズル３１と高圧ポンプ３３が離れていると噴射開始時における噴射圧が弱くなってしまうため、噴射ノズル３１と高圧ポンプ３３は近い距離に配置する必要があったが、本発明のおいては噴射ノズル３１と高圧ポンプ３３とが離れていても、噴射開始時において増圧された洗浄水を被洗浄車両ＣＡに対して直ぐに噴射でき、かつ高圧ポンプ３３の配設場所を比較的自由に選択可能となる。
【００４６】
なお、噴射ノズル３１は被洗浄車両ＣＡの下面だけでなく、側面及び上面に噴射してもよい。また、噴射ノズル３１が前後方向に移動してもよい。
【産業上の利用可能性】
【００４７】
本発明によると、本発明は洗浄水を噴射する噴射ノズルを備えた洗車機に利用することができる。
【符号の説明】
【００４８】
１      本体部
２      レール
４      トップブラシ
５      サイドブラシ
７Ａ    リモートパネル（操作部）
３０    下面洗浄部
３１    噴射ノズル
３２    電磁弁
３３    高圧ポンプ
３４    分岐部
３５    貯水タンク（給水部）
３６    水ポンプ
３７    配管
４０    検知センサ
９０    スタンド部
９１    天井部
ＣＡ    被洗浄車両
ＷＡ    洗車機
【図１】
2014024460.tif 000003
【図２】
2014024460.tif 000004
【図３】
2014024460.tif 000005
【図４】
2014024460.tif 000006
【図５】
2014024460.tif 000007